(57)【要約】      （修正有）【課題】市販されているインキ吸蔵体を備えた印鑑のキャップを取外して、片手操作で開閉自在な蓋体を備えたケースに挿入して、ストッパー片を解除することにより、前記蓋体を開放して、印字部を露出させて直ちにワンタッチで押印可能な印鑑用ケースを提供する。【解決手段】インキ吸蔵体を備えた印鑑１のキャップ１６を取外して、その軸部１７を開閉自在な蓋体７を備えたケーシング２に挿入して、ストッパー片を解除することにより、前記蓋体７を開放して、印字部２３を露出させて直ちにそのままンタッチで押印可能な印鑑用ケースとする。【選択図】図２
0003183530.tif 000002
【実用新案登録請求の範囲】
【請求項１】
インキ吸蔵体を備えた印鑑を収納するケーシングが、上方に開口部を備えた有底の縦長状の硬質の合成樹脂製の筒体により形成され、前記開口部の一方の側面側端面部に設置された取付軸に、前記開口部に被冠する断面逆凹状の蓋体の一端部に突設された取付けアームの先端部が、押しバネによって開放側方向へ付勢されるようにして、開閉自在になるように軸装され、且つ前記ケーシングの開口部の正面側の上方部の他方寄りに、前記蓋体の正面側に突設された係止爪に係止する係止突起を上端縁に突設したストッパー片が設置される一方、前記印鑑を保持してケーシング内に収納するホルダーは、前記ケーシングよりは軟質の合成樹脂により、前記印鑑のキャップを取外した軸部を上方より嵌挿する挿入孔を開口した上部板が、前記ケーシングの開口部の外周上端縁に圧接することができるように形成され、且つ前記上部板の挿入孔の下方には、前記印鑑の軸部の挿入筒を垂設すると共に、前記挿入筒の下端縁から下方へ突出した前記軸部の下方部に、前記キャップを挿着固定することにより、該キャップの底部がケーシングの底板に接触するよう形成したことを特徴とするワンタッチで押印可能な印鑑用ケース。
【請求項２】
インキ吸蔵体を備えた印鑑を収納するケーシングが、上方に開口部を備えた有底の縦長状の硬質の合成樹脂製の筒体により形成され、前記開口部の一方の側面側端面部に設置された取付軸に、前記開口部に被冠する断面逆凹状の蓋体の一端部に突設された取付けアームの先端部が、押しバネによって開放側方向へ付勢されるようにして、開閉自在になるように軸装され、且つ前記ケーシングの開口部の正面側の上方部の他方寄りに、前記蓋体の正面側に突設された係止爪に係止する係止突起を上端縁に突設したストッパー片が設置される一方、前記印鑑を保持してケーシング内に収納するホルダーは、前記ケーシングよりは軟質の合成樹脂により、前記印鑑のキャップを取外した軸部を上方より嵌挿する挿入孔を開口した上部板が、前記ケーシングの開口部の外周上端縁に圧接することができるように形成され、且つ前記上部板の挿入孔の下方には、前記印鑑の軸部の挿入筒を垂設すると共に、前記挿入筒の下方に前記印鑑の底面が当接する底板を備え、且つ底板の下面に前記印鑑のキャップを嵌挿固定する突起を垂設して形成したことを特徴とするワンタッチで押印可能な印鑑用ケース。
【考案の詳細な説明】
【技術分野】
【０００１】
本考案は、市販されている商標名「シヤチハタネーム」等のインキ吸蔵体を備えた印鑑の本体を、片手操作で開閉自在な蓋体を備えたケースに挿入し、ストッパーを開放して、該蓋体を開放することより、直ちに押印可能なワンタッチで押印可能な印鑑用ケースに関する。
【背景技術】
【０００２】
従来、例えばインキ吸蔵体を備えた「シヤチハタネーム」は、キャップを取外して押印面に印字部を当接して押圧することにより、前記印字部が押印面に圧着して押印できるように形成されている。
【０００３】
前記のようなインキ吸蔵体を備えた印鑑は、使用するに当って必ずキャップをいちいち取外さなければならず、面倒であると共に、取外したキャップを置き忘れたり、紛失したりするという課題があった。
【０００４】
そして、前記現在市販されているインキ吸蔵体を備えた印鑑を、ワンタッチで押印可能なケースに収納して、蓋体を開放することにより、直ちに押印可能な印鑑用ケースは現在実用に供されておらず、また過去の特許文献を遡及検索しても１件も発見することができなかった。
【考案の概要】
【考案が解決しようとする課題】
【０００５】
本考案は、前記課題を解決すべくなされたものであって、現在市販されているインキ吸蔵体を備えた印鑑のキャップを取外して、片手操作で開閉自在な蓋体を備えたケースに挿入して、ストッパーを解除することにより、前記蓋体を開放して、印字部を露出させて直ちにそのまま押圧可能なワンタッチで押印可能な印鑑用ケースを提供しようとするものである。
【課題を解決するための手段】
【０００６】
本考案は、前記課題を解決するため、請求項１において、インキ吸蔵体を備えた印鑑を収納するケーシングが、上方に開口部を備えた有底の縦長状の硬質の合成樹脂製の筒体により形成され、前記開口部の一方の側面側端面部に設置された取付軸に、前記開口部に被冠する断面逆凹状の蓋体の一端部に突設された取付けアームの先端部が、押しバネによって開放側方向へ付勢されるようにして、開閉自在になるように軸装され、且つ前記ケーシングの開口部の正面側の上方部の他方寄りに、前記蓋体の正面側に突設された係止爪に係止する係止突起を上端縁に突設したストッパー片が設置される一方、前記印鑑を保持してケーシング内に収納するホルダーは、前記ケーシングよりは軟質の合成樹脂により、前記印鑑のキャップを取外した軸部を上方より嵌挿する挿入孔を開口した上部板が、前記ケーシングの開口部の外周上端縁に圧接することができるように形成され、且つ前記上部板の挿入孔の下方には、前記印鑑の軸部の挿入筒を垂設すると共に、前記挿入筒の下端縁から下方へ突出した前記軸部の下方部に、前記キャップを挿着固定することにより、該キャップの底部がケーシングの底板に接触するよう形成したことを特徴とするワンタッチで押印可能な印鑑用ケース。
が提供され、また、請求項２において、
インキ吸蔵体を備えた印鑑を収納するケーシングが、上方に開口部を備えた有底の縦長状の硬質の合成樹脂製の筒体により形成され、前記開口部の一方の側面側端面部に設置された取付軸に、前記開口部に被冠する断面逆凹状の蓋体の一端部に突設された取付けアームの先端部が、押しバネによって開放側方向へ付勢されるようにして、開閉自在になるように軸装され、且つ前記ケーシングの開口部の正面側の上方部の他方寄りに、前記蓋体の正面側に突設された係止爪に係止する係止突起を上端縁に突設したストッパー片が設置される一方、前記印鑑を保持してケーシング内に収納するホルダーは、前記ケーシングよりは軟質の合成樹脂により、前記印鑑のキャップを取外した軸部を上方より嵌挿する挿入孔を開口した上部板が、前記ケーシングの開口部の外周上端縁に圧接することができるように形成され、且つ前記上部板の挿入孔の下方には、前記印鑑の軸部の挿入筒を垂設すると共に、前記挿入筒の下方に前記印鑑の底面が当接する底板を備え、且つ底板の下面に前記印鑑のキャップを嵌挿固定する突起を垂設して形成したことを特徴とするワンタッチで押印可能な印鑑用ケース。
が提供される。
【考案の効果】
【０００７】
前記構成より成る本考案によれば、現在市販されているインキ吸蔵体を備えた印鑑のキャップを取外して、片手操作で開閉自在な蓋体を備えたケースに挿入してセットし、ストッパー片を解除することにより、前記蓋体を開放して、印字部を露出させて直ちにそのまま押圧可能なワンタッチで押印することができるので、押印の度毎にキャップを取外す必要がなく、極めて迅速に押印できると共に、キャップが紛失することがなく使い勝手のよい印鑑ケースである。
【図面の簡単な説明】
【０００８】
【図１】本考案実施例１のワンタッチで押印可能な印鑑用ケースの組立分解斜視図である。
【図２】本考案実施例１のワンタッチで押印可能な印鑑用ケースにおいて、蓋体を開放して示す全体の縦断面図である。
【図３】本考案実施例１のワンタッチで押印可能な印鑑用ケースにおいて、蓋体をケーシングの開口部に被冠固定した状態を示す一部切欠き正面図である。
【図４】本考案実施例１のワンタッチで押印可能な印鑑用ケースにおいて、蓋体をケーシングの開口部から開放した状態を示す一部切欠き正面図である。
【図５】本考案実施例１のワンタッチで押印可能な印鑑用ケースにおいて、蓋体をケーシングの開口部に被冠固定した状態から、ストッパー片を指で押圧して蓋体を開放する直前の状態を示す縦断面図である。
【図６】本考案実施例１のワンタッチで押印可能な印鑑用ケースにおいて、蓋体をケーシングの開口部に被冠固定した状態から、ストッパー片を指で押圧して蓋体を開放した状態を示す縦断面図である。
【図７】本考案実施例２のワンタッチで押印可能な印鑑用ケースの組立分解斜視図である。
【図８】本考案実施例２のワンタッチで押印可能な印鑑用ケースにおいて、蓋体を開放して示す全体の縦断面図である。
【実施例１】
【０００９】
本考案の実施例を図１〜図６に基づいて詳細に説明する。図１は本考案ワンタッチで押印可能なプッシュ式印鑑用ケースの組立て分解斜視図であり、本考案ケースは、インキ吸蔵体を備えた１を収納するケーシング２と、前記印鑑１を保持して前記ケーシング２内に挿入固定するホルダー３とにより構成されている。
【００１０】
本考案ケースに収納できるインキ吸蔵体を備えた印鑑は、市販されている商標名「シヤチハタネーム」の外、前記「シヤチハタネーム」と同様に、他社からインキ吸蔵体を備えた印鑑として市販されている印鑑に使用することができる。以下、図を用いて本考案ケースについて詳細に説明するが、説明の都合上、本実施例１では、インキ吸蔵体を備えた印鑑として、「シヤチハタネーム」を使用するものとして説明する。
【００１１】
前記インキ吸蔵体を備えた印鑑１を収納するケーシング２は、上方に開口部４を備えた有底の縦長状の硬質の合成樹脂製の筒体５により形成され、前記開口部４の一方の側面側端面部に設置された取付軸６に、前記開口部４に被冠する断面逆凹状の蓋体７の一端部に突設された取付けアーム８の先端部が、押しバネ９によって開放側方向へ付勢されて、蓋体７が前記開口部４に開閉自在になるように軸装されている。
【００１２】
また、前記ケーシング２の前記開口部４の正面側の上方部の他方寄りに、前記蓋体７の正面側に突設された係止爪１０に係止する係止突起１１を上端縁に突設したストッパー片１２が、指で前方へ押圧することにより前方へ移動し、指を離すと復帰するようにして設置されている。
【００１３】
前記ストッパー片１２は、特に限定する必要はないが、好ましくは、図に示すように、前記開口部４の正面側の他方寄りの周壁１３に、間隔を有して全高の４分の１程度の高さの２条のスリット１４を設けて、該スリット１４間に前記筒体５と一体に形成され、前記ストッパー片１２の上方部を前方へ指で押圧することにより、合成樹脂の弾発性を利用して、該ストッパー片１２の底部の前記筒体５との連結部１５の部分を支点として、前記ストッパー片１２の上方部が合成樹脂の断発力に抗して前方へ傾動し、逆に前記押圧状態を解除すると、合成樹脂の弾発力により、前記ストッパー片１が復帰し直立状態を維持するよう形成されたものを使用することが推奨される。
【００１４】
すなわち、前記蓋体７を前記押しバネ９に抗して前記開口部４上に被冠固定すると、蓋体７の係止爪１０がストッパー片１２の係止突起１１に係止され、該蓋体７は開口部４上に被冠固定される。一方、ストッパー片１２の上方部を指で前方へ押圧すると、前記係止爪１０と係止突起１１との係合状態が解除され、押しバネ９の弾発力により蓋体７が開放され、前記開口部４が開口される。
【００１５】
一方、インキ吸蔵体を備えた印鑑１を保持してケーシング２内に収納するホルダー３は、前記ケーシング２よりは軟質の合成樹脂により、前記印鑑１のキャップ１６を取外した軸部１７を上方より嵌挿する挿入孔１８を開口した上部板１９が、前記ケーシング２の開口部４の外周上端縁に圧接することができると共に、前記蓋体７を被冠したとき、その底部外周縁が当接できるような段部２０を備え、且つ前記ストッパー片１２の係止突起１１部が、ある程度前方側へ移動できるような深さの凹部２１を設けて形成され、更に前記上部板１９の挿入孔１８の下方には、前記印鑑１の軸部１７の挿入筒２２を垂設すると共に、前記挿入筒２２の下端縁から下方へ突出した前記軸部１７の下方部に、前記印鑑１から取外したキャップ１６を挿着固定できるよう形成されている。
【００１６】
前記のように構成された本発明ケースの作用について説明する。先ず、ホルダー３の挿入孔１８にキャップ１６を取外した軸部１７を嵌挿して下方へ押圧して、前記印鑑１の印字部２３を前記挿入孔１８よりやや上方へ突出させると共に、前記軸部１７を挿入した挿入筒２２より下方へ突出した該軸部１７の下方から前記キャップ１６を挿着固定する。
【００１７】
そして、前記印鑑１を嵌挿したホルダー３を、ケーシング２の蓋体７を開放して開口部４より下方へ押圧挿入して、該開口部４の外周縁上に前記ホルダー３の上部板１９を圧接することにより、前記軸部１７の下方に挿着されたキャップ１６の底部がケーシング２の底板２ａに接触して、前記ホルダー３がケーシング２へ装着固定され、その後、押しバネ９に抗して蓋体７を回動して開口部４上に被冠し、係止爪１０をストッパー片１２の係止突起１１に係止することによりセットが完了する。
【００１８】
本考案ケースにセットされたインキ吸蔵体を備えた印鑑１を使用する場合、ストッパー片１２の上方部を指で前方へ押圧すると、前記係止爪１０と係止突起１１との係止状態が解除され、押しバネ９の弾発力によって蓋体７が開放され、前記印鑑１の印字部２３が露出し、直ちに押印作業ができる。
【実施例２】
【００１９】
前記実施例１においては、インキ吸蔵体を備えた印鑑として、「シヤチハタネーム」を使用するものとして説明した。一方、前記「シヤチハタネーム」以外でインキ吸蔵体を備えた印鑑は、数多く市販されているが、いずれも前記「シヤチハタネーム」よりもその全高が低く、またその径もやや小さく形成されている。
【００２０】
そこで、本考案者は、実施例２に示すように、前記ケーシング２に挿入するホルダー３ａを、前記「シヤチハタネーム」以外のインキ吸蔵体を備えた印鑑１ａにも対応できるようにした。すなわち、図７・８に示すように、ホルダー３ａの挿入孔１８ａを小径すると共に、挿入筒２２ａの下方に前記印鑑１ａの底面が当接する底板３０を備え、且つ底板３０の下面に前記印鑑１ａのキャップ１６ａを嵌挿する突起３１を垂設する一方、前記キャップ１６ａを前記突起３１に嵌挿できるよう形成されている。そして、その他の構成は前記実施例１に示す「シヤチハタネーム」用のホルダー３と同一構成である。また、その作用も前記実施例１に示す「シヤチハタネーム」と同一作用を奏するもので、説明を省略する。
【符号の説明】
【００２１】
１．１ａ  インキ吸蔵体を備えた印鑑
２        ケーシング
２ａ      ケーシングの底板
３．３ａ  ホルダー
４．４ａ  開口部
５        筒体
６        取付軸
７        蓋体
８        取付けアーム
９        押しバネ
１０      係止爪
１１      係止突起
１２      ストッパー片
１３      周壁
１４      スリット
１５      連結部
１６．１６ａ  キャップ
１７          軸部  
１８．１８ａ  挿入孔
１９          上部板
２０          段部
２１          凹部
２２．２２ａ  挿入筒
２３          印字部
３０          底板
３１          突起
【図１】
0003183530.tif 000003
【図２】
0003183530.tif 000004
【図３】
0003183530.tif 000005
【図４】
0003183530.tif 000006
【図５】
0003183530.tif 000007
【図６】
0003183530.tif 000008
【図７】
0003183530.tif 000009
【図８】
0003183530.tif 000010